(57)【要約】【課題】  好適に消費電力を低減させることが可能な移動通信端末装置を提供する。【解決手段】  ベースバンド処理部３と、ベースバンド処理部３に電源供給する電源供給手段１１と、移動通信端末装置１００が圏外状態であるか否かを検出する圏外検出手段４とを備える。電源供給手段１１からベースバンド処理部３に対する電源供給をオン／オフ制御する電源制御手段１０を備える。電源制御手段１０は、圏外検出手段４により圏外であると検出される状態の継続時間が所定時間以上となった場合に、電源供給手段１１によるベースバンド処理部３への電源供給をオフ状態にさせる。これにより移動通信端末装置１００の通信機能を自動的に停止させ、消費電力を低減させる。【選択図】    図３
2007036865.tif 000002
【特許請求の範囲】
【請求項１】
ベースバンド処理を行うベースバンド処理部と、前記ベースバンド処理部に電源供給する電源供給手段と、を備える移動通信端末装置において、
当該移動通信端末装置が圏外状態であるか否かを検出する圏外検出手段と、
前記電源供給手段から前記ベースバンド処理部に対する電源供給をオン／オフ制御する電源制御手段と、
を備え、
前記電源制御手段は、前記圏外検出手段により圏外であると検出される状態の継続時間が所定時間以上となった場合に、前記電源供給手段による前記ベースバンド処理部への電源供給をオフ状態にさせることにより、当該移動通信端末装置の通信機能を停止させることを特徴とする移動通信端末装置。
【請求項２】
前記電源制御手段は、当該移動通信端末装置の通信機能が停止されている状態時に、前記電源供給手段による前記ベースバンド処理部への電源供給を第２の所定時間毎に再開させることにより通信機能を復帰させ、該復帰させた際の前記圏外検出手段による検出結果が圏内である場合には前記ベースバンド処理部への電源供給を継続させる一方で、該検出結果が圏外である場合には再び前記ベースバンド処理部への電源供給をオフ状態にさせることを特徴とする請求項１に記載の移動通信端末装置。
【請求項３】
使用者による操作を受け付ける入力手段を備え、
当該移動通信端末装置の通信機能が停止されている状態時に、前記入力手段に対し所定の操作がなされた場合には、前記電源制御手段は、前記ベースバンド処理部への電源供給を再開させることを特徴とする請求項１又は２に記載の移動通信端末装置。
【請求項４】
前記所定の操作に基づき前記ベースバンド処理部への電源供給を再開させた後で、当該操作に応じた動作を実行することを特徴とする請求項３に記載の移動通信端末装置。
【請求項５】
前記電源制御手段は、前記圏外検出手段により圏外であると検出される状態の継続時間が第３の所定時間以上となった場合に、当該移動通信端末装置の電源を遮断することを特徴とする請求項１乃至４の何れか一項に記載の移動通信端末装置。
【請求項６】
前記所定時間の長さをユーザの操作により任意に設定可能であることを特徴とする請求項１乃至５の何れか一項に記載の移動通信端末装置。
【請求項７】
前記第２の所定時間の長さをユーザの操作により任意に設定可能であることを特徴とする請求項２に記載の移動通信端末装置。
【請求項８】
前記第３の所定時間の長さをユーザの操作により任意に設定可能であることを特徴とする請求項５に記載の移動通信端末装置。
【請求項９】
当該移動通信端末装置は携帯電話装置であることを特徴とする請求項１乃至８の何れか一項に記載の移動通信端末装置。
【請求項１０】
ベースバンド処理を行うベースバンド処理部と、前記ベースバンド処理部に電源供給する電源供給手段と、を備える移動通信端末装置の動作制御を行う方法において、
前記移動通信端末装置が圏外状態であるか否かを検出する第１の過程と、
前記第１の過程により圏外であると検出される状態の継続時間を計時する第２の過程と、
前記第２の過程による計時結果が所定時間以上となった場合に、前記電源供給手段による前記ベースバンド処理部への電源供給をオフ状態にさせることにより、前記移動通信端末装置の通信機能を停止させる第３の過程と、
を備えることを特徴とする移動通信端末装置の動作制御方法。
【請求項１１】
前記第３の過程により通信機能が停止されている状態時に、第２の所定時間毎に前記ベースバンド処理部への電源供給を再開させることにより通信機能を回復させる第４の過程と、
前記第４の過程により通信機能が回復された際の前記圏外検出手段による検出結果が圏内である場合には前記ベースバンド処理部への電源供給を継続させる一方で、該検出結果が圏外である場合には再び前記ベースバンド処理部への電源供給をオフ状態にさせる第５の過程と、
を備えることを特徴とする請求項１０に記載の移動通信端末装置の動作制御方法。
【請求項１２】
前記第３の過程により通信機能が停止されている状態時に、前記移動通信端末装置に対して所定の操作がなされた場合には、前記ベースバンド処理部への電源供給を再開させる第６の過程を行うことを特徴とする請求項１０又は１１に記載の移動通信端末装置の動作制御方法。
【請求項１３】
前記所定の操作に基づき前記ベースバンド処理部への電源供給を再開させた後で、当該操作に応じた動作を実行する第７の過程を備えることを特徴とする請求項１２に記載の移動通信端末装置の動作制御方法。
【請求項１４】
前記第２の過程により圏外であると検出される状態の継続時間が第３の所定時間以上となった場合に、当該移動通信端末装置の電源を遮断する第８の過程を備えることを特徴とする請求項１０乃至１３の何れか一項に記載の移動通信端末装置の動作制御方法。
【請求項１５】
前記所定時間の長さをユーザの操作に応じた長さに設定する第９の過程を備えることを特徴とする請求項１０乃至１４の何れか一項に記載の移動通信端末装置の動作制御方法。
【請求項１６】
前記第２の所定時間の長さをユーザの操作に応じた長さに設定する第１０の過程を備えることを特徴とする請求項１１に記載の移動通信端末装置の動作制御方法。
【請求項１７】
前記第３の所定時間の長さをユーザの操作に応じた長さに設定する第１１の過程を備えることを特徴とする請求項１４に記載の移動通信端末装置の動作制御方法。
【請求項１８】
請求項１０乃至１７の何れか一項に記載の移動通信端末装置の動作制御方法をコンピュータに実行させるためのプログラム。
【発明の詳細な説明】
【技術分野】
【０００１】
本発明は、移動通信端末装置、その動作制御方法及びその動作制御方法を実行させるためのプログラムに関する。
【背景技術】
【０００２】
携帯電話装置或いはその他の移動通信端末装置では、所定時間間隔毎にセルサーチ動作を行うようになっており、通話や電子メールの送受信などを行わないときであっても、通信機能により電力が消費されている。
【０００３】
また、セルサーチ動作による消費電力は、受信レベルが弱い場所に移動通信端末装置が位置しているときの方が大きい。
【０００４】
このため、例えば、地下、スキー場、海外などのように、基地局の電波が長時間届かないところでは、移動通信端末装置の消費電力量が大きいためにすぐに電池を使い切ってしまい、基地局の電波の圏内に戻った場合に電池切れとなることがよくある。
【０００５】
このような問題に鑑みなされた従来の技術としては、例えば、所定の操作をすることによって通信機能を停止させ、消費電力を抑える機能を有する携帯電話装置がある（例えば、特許文献１）。
【特許文献１】特開平１１−３０８１６３号公報
【発明の開示】
【発明が解決しようとする課題】
【０００６】
しかしながら、特許文献１の技術では、通信機能を停止させるには使用者が操作を行わなければならないため、その操作が面倒であるという問題や、使用者の認知が十分でないためにその機能が使用されないといった問題があるため、消費電力の低減効果が十分ではなかった。
【０００７】
本発明は、上記のような問題点を解決するためになされたもので、好適に消費電力を低減させることが可能な移動通信端末装置、その動作制御方法及びプログラムを提供することを目的とする。
【課題を解決するための手段】
【０００８】
上記課題を解決するため、本発明の移動通信端末装置は、ベースバンド処理を行うベースバンド処理部と、前記ベースバンド処理部に電源供給する電源供給手段と、を備える移動通信端末装置において、当該移動通信端末装置が圏外状態であるか否かを検出する圏外検出手段と、前記電源供給手段から前記ベースバンド処理部に対する電源供給をオン／オフ制御する電源制御手段と、を備え、前記電源制御手段は、前記圏外検出手段により圏外であると検出される状態の継続時間が所定時間以上となった場合に、前記電源供給手段による前記ベースバンド処理部への電源供給をオフ状態にさせることにより、当該移動通信端末装置の通信機能を停止させることを特徴としている。
【０００９】
本発明の移動通信端末装置においては、前記電源制御手段は、当該移動通信端末装置の通信機能が停止されている状態時に、前記電源供給手段による前記ベースバンド処理部への電源供給を第２の所定時間毎に再開させることにより通信機能を復帰させ、該復帰させた際の前記圏外検出手段による検出結果が圏内である場合には前記ベースバンド処理部への電源供給を継続させる一方で、該検出結果が圏外である場合には再び前記ベースバンド処理部への電源供給をオフ状態にさせることが好ましい。
【００１０】
本発明の移動通信端末装置においては、使用者による操作を受け付ける入力手段を備え、当該移動通信端末装置の通信機能が停止されている状態時に、前記入力手段に対し所定の操作がなされた場合には、前記電源制御手段は、前記ベースバンド処理部への電源供給を再開させることが好ましい。
【００１１】
本発明の移動通信端末装置においては、前記所定の操作に基づき前記ベースバンド処理部への電源供給を再開させた後で、当該操作に応じた動作を実行することが好ましい。
【００１２】
本発明の移動通信端末装置においては、前記電源制御手段は、前記圏外検出手段により圏外であると検出される状態の継続時間が第３の所定時間以上となった場合に、当該移動通信端末装置の電源を遮断することが好ましい。
【００１３】
本発明の移動通信端末装置においては、前記所定時間、前記第２の所定時間、前記第３の所定時間の長さをそれぞれユーザの操作により任意に設定可能であることが好ましい。
【００１４】
本発明の移動通信端末装置の動作制御方法は、ベースバンド処理を行うベースバンド処理部と、前記ベースバンド処理部に電源供給する電源供給手段と、を備える移動通信端末装置の動作制御を行う方法において、前記移動通信端末装置が圏外状態であるか否かを検出する第１の過程と、前記第１の過程により圏外であると検出される状態の継続時間を計時する第２の過程と、前記第２の過程による計時結果が所定時間以上となった場合に、前記電源供給手段による前記ベースバンド処理部への電源供給をオフ状態にさせることにより、前記移動通信端末装置の通信機能を停止させる第３の過程と、を備えることを特徴としている。
【００１５】
本発明の移動通信端末装置の動作制御方法においては、前記第３の過程により通信機能が停止されている状態時に、第２の所定時間毎に前記ベースバンド処理部への電源供給を再開させることにより通信機能を回復させる第４の過程と、前記第４の過程により通信機能が回復された際の前記圏外検出手段による検出結果が圏内である場合には前記ベースバンド処理部への電源供給を継続させる一方で、該検出結果が圏外である場合には再び前記ベースバンド処理部への電源供給をオフ状態にさせる第５の過程と、を備えることが好ましい。
【００１６】
本発明の移動通信端末装置の動作制御方法においては、前記第３の過程により通信機能が停止されている状態時に、前記移動通信端末装置に対して所定の操作がなされた場合には、前記ベースバンド処理部への電源供給を再開させる第６の過程を行うことが好ましい。
【００１７】
本発明の移動通信端末装置の動作制御方法においては、前記所定の操作に基づき前記ベースバンド処理部への電源供給を再開させた後で、当該操作に応じた動作を実行する第７の過程を備えることが好ましい。
【００１８】
本発明の移動通信端末装置の動作制御方法においては、前記第２の過程により圏外であると検出される状態の継続時間が第３の所定時間以上となった場合に、当該移動通信端末装置の電源を遮断する第８の過程を備えることが好ましい。
【００１９】
本発明の移動通信端末装置の動作制御方法においては、前記所定時間、前記第２の所定時間、前記第３の所定時間の長さをそれぞれユーザの操作に応じた長さに設定する第９、第１０、第１１の過程を備えることが好ましい。
【００２０】
また、本発明のプログラムは、本発明の移動通信端末装置の動作制御方法をコンピュータに実行させるためのプログラムであることを特徴としている。
【発明の効果】
【００２１】
本発明によれば、圏外であると検出される状態の継続時間が所定時間以上となった場合に、ベースバンド処理部への電源供給を停止させることにより移動通信端末装置の通信機能を自動的に停止させることができる。よって、使用者が通信機能の停止操作を行わなくても、好適に、移動通信端末装置の消費電力を低減させることができる。
【発明を実施するための最良の形態】
【００２２】
以下、図面を参照して、本発明に係る実施形態について説明する。
【００２３】
〔第１の実施形態〕
図１は本発明の実施形態に係る携帯電話装置（移動通信端末装置）１００の構成を示すブロック図である。
【００２４】
図１に示すように、本実施形態に係る携帯電話装置１００は、無線信号の送受信を行うアンテナ１と、送信データを無線信号に変換し、受信した無線信号をデータに変換する無線部２と、送信音声データを特定のデータ列に変換して無線部２に出力し、無線部２からの受信データ列を音声データに変換するベースバンド処理を行うベースバンド処理部３と、装置全体の制御をプログラムコードに基づいて行う中央処理装置（ＣＰＵ：圏外検出手段として機能する）４と、この中央処理装置４のプログラムコードや電話帳データを記憶する記憶部５と、使用者による操作の入力を受け付ける入力部（入力手段）６と、中央処理装置４の制御下で電話番号などのデータの表示やアンテナバー表示を行う表示部７と、音響信号（音声）を音声電気信号に変換するマイク８と、音声電気信号を音響信号に変換するスピーカ９と、各構成部分への電力供給を制御する電源制御部（電源制御手段）１０と、電力源としてのバッテリ（電源供給手段）１１と、を備えて構成されている。
【００２５】
なお、図１において、実線は電気信号線を示しており、破線は電源制御部１２から電気回路の各構成部分に電源を供給する電源線を示している。
【００２６】
電源線としては、無線部２に電源供給する無線部用電源線２０、ベースバンド処理部３に電源供給するベースバンド処理部用電源線２１、中央処理装置４に電源供給する中央処理装置用電源線２２、記憶部５に電源供給する記憶部用電源線２３、入力部６に電源供給する入力部用電源線２４、表示部７に電源供給する表示部用電源線２５などがある。
【００２７】
中央処理装置４は、無線部２、ベースバンド処理部３及びアンテナ１を介して、エリアをカバーする基地局との間で通信用接続情報のやり取りを定期的に行っており、着信や発信などの要求に応えられるようにしている。
【００２８】
通信用接続情報としては、無線チャネルの設定、維持、切り替えなどを行う無線管理機能、位置登録、認証を行う移動管理機能、発呼切断などの呼制御機能を実現するために用いられる情報があり、携帯電話装置と基地局との間で制御信号シーケンスを用いて定期的に交信される。
【００２９】
また、中央処理装置４は基地局から送信される信号をベースバンド処理部３から受信し、受信した信号の強度を測定する。
【００３０】
そして中央処理装置４は受信した信号強度に対応したアンテナバー表示を記憶部５から取得し、表示部７に表示する。
【００３１】
ここで、図２はアンテナバー表示を示す図であり、受信強度が強い順に図２（ａ）、図２（ｂ）、図２（ｃ）、図２（ｄ）の表示を行う。
【００３２】
なお、図２（ｄ）では基地局からの信号の強度が低く、携帯電話装置がサービス圏外であることを示す。
【００３３】
つまり、中央処理装置４は、受信した信号強度に基づき携帯電話装置１００が圏外であるか否かを検出する圏外検出手段としての機能を備え、圏外であると検出した場合には、表示部７に圏外マークとして図２（ｄ）の表示を行わせる。
【００３４】
また、図２（ｅ）は本実施形態に係る携帯電話装置の特徴である通信機能自動停止状態を示すアンテナバー表示であり、通信機能自動停止状態のときにアンテナバー表示は図２（ｅ）の表示に切り替わる。
【００３５】
このうち中央処理装置４は、タイマー部１２を備えている。このタイマー部１２は、圏外である状態の継続時間、又は、通信機能が自動停止されている状態の継続時間を測定する。
【００３６】
すなわち、中央処理装置４は、受信した信号の強度がサービス圏外のしきい値を下回っており、圏外であると判定した場合には、タイマー部１２に計時動作を開始させる。
【００３７】
以後、中央処理装置４は、受信した信号の強度がサービス圏外のしきい値を上回ることにより圏内であると判定するか、或いは、タイマー部１２による計時結果が時間（所定時間）Ｔ１（例えば、１時間）となるまで該計時結果を監視する。
【００３８】
タイマー部１２による計時結果が所定時間Ｔ１となる以前に圏内となった場合には、中央処理装置４は、タイマー部１２による計時結果を初期化して「０」にする。
【００３９】
他方、圏外のままでタイマー部１２による計時結果が所定時間Ｔ１となった場合には、中央処理装置４は、通信機能の自動停止処理を行う。すなわち、中央処理装置４は、電源制御部１０に指令を送信し、バッテリ１１からベースバンド処理部３及び無線部２への電源供給を停止（オフに）させることにより、通信機能の自動停止処理を行う。
【００４０】
また、中央処理装置４は、通信機能の自動停止処理を行ったタイミングで、タイマー部１２による計時結果を初期化して「０」にし、再び、タイマー部１２による計時動作を開始させる。
【００４１】
以後、中央処理装置４は、タイマー部１２による計時結果が時間（第２の所定時間）Ｔ２（例えば、１時間）となるまで該計時結果を監視する。
【００４２】
タイマー部１２による計時結果が所定時間Ｔ２となった場合には、中央処理装置４は、通信機能を一時的に復帰させる処理を行う。すなわち、中央処理装置４は、電源制御部１０に指令を送信し、バッテリ１１からベースバンド処理部３及び無線部２への電源供給を再開（オンに）させることにより、通信機能を一時的に復帰させる。
【００４３】
更に、中央処理装置４は、通信機能を一時的に復帰させた際の状態が圏外であるか否かを判定し、圏内であると判定した場合にはバッテリ１１からベースバンド処理部３及び無線部２への電源供給を継続（オンのままに）させる一方で、圏外であると判定した場合には、再び、電源制御部１０に指令を送信し、ベースバンド処理部３及び無線部２への電源供給を停止（オフに）させる。
【００４４】
通信機能が自動停止状態となっている間は、以後同様に、タイマー部１２による計時結果が所定時間Ｔ２となる度に、通信機能を一時的に復帰させて圏外か否かを判定し、圏内であれば電源供給を継続させる一方で、圏外であれば再び電源供給を停止させる。
【００４５】
なお、上記の所定時間Ｔ１，Ｔ２の長さを示すデータは、記憶部５に記憶保持されている。
【００４６】
入力部６は、数字などを入力操作するための基本機能キー（ダイヤルに相当）と、発呼、オフフック、オンフックなどの特定機能の入力操作用として複数の特定機能キーと、を備えている。
【００４７】
図３は携帯電話装置１００の通信機能オン／オフモードの切り替え動作を示したフローチャートである。
【００４８】
以下、このフローチャートに従って動作を説明する。
【００４９】
電源オンの操作がなされた場合（ステップＳ１のＹｅｓ）、中央処理装置４は電源制御部１０に対して無線部２及びベースバンド処理部３への電力供給を開始させる制御を行う。
【００５０】
すると、電源制御部１０より、無線部２、ベースバンド処理部３に電力が供給されることにより通信機能がオンとなり（ステップＳ２）、回線との発信や着信、メールなどの送受信が可能となる。
【００５１】
また、通信機能オンとなると中央処理装置４は受信した信号強度に対応したアンテナバー表示（図２（ａ）、（ｂ）、（ｃ）、（ｄ）の何れか）を記憶部５から取得し、表示部７に表示する。
【００５２】
他方、電源オンの操作がなされていない状態（ステップＳ１のＮｏ）では、電源オンの操作がなされるまでステップＳ１の判定動作を繰り返し行う。
【００５３】
ステップＳ２に続いては、中央処理装置４はタイマー部１２による計時結果に基づき、連続して１時間以上圏外であるか否かの判定を行う（ステップＳ３）。
【００５４】
連続して１時間以上圏外である場合（ステップＳ３のＹｅｓ）、中央処理装置４は、電源制御部１０に対して無線部２及びベースバンド処理部３への電力供給を停止させる制御を行う。
【００５５】
すると、無線部２、ベースバンド処理部３は電力の供給がなくなり動作しなくなるので、通信機能が停止する（ステップＳ４）。
【００５６】
このように通信機能を自動で停止した場合、中央処理装置４は、ＡＵＴＯＳＥＬＦと書かれたマーク（図２（ｅ））を記憶部５から取得し、表示部７に表示させる。
【００５７】
これにより自動で通信動作を停止していることが一目でわかるようにする。
【００５８】
また、このときタイマー部１２による計時時間を示すカウンタを初期化して「０」とする。
【００５９】
また、連続して１時間以上圏外ではない場合（ステップＳ３のＮｏ）は、中央処理装置４は、連続して１時間以上圏外であるか否かの判定を継続する。
【００６０】
また、上記のように通信機能を自動的にオフした場合（ステップＳ４）、タイマー部１２は通信機能オフしてからの経過時間を測定し、中央処理装置４は、その計時結果が所定時間（例えば１時間）以上となるか否かの判定を行う（ステップＳ５）。
【００６１】
通信機能オフしてから１時間以上経過していない場合（ステップＳ５のＮｏ）、中央処理装置４は、ステップＳ５の判定を繰り返し行う。
【００６２】
通信機能オフしてから１時間以上経過した場合（ステップＳ５のＹｅｓ）、中央処理装置４は、電源制御部１０に対して無線部２及びベースバンド処理部３への電力供給を一時的に復帰（再開）させる制御を行う。
【００６３】
中央処理装置４は基地局から送信される信号をベースバンド処理部３から受信し、受信した信号の強度を測定する。通信機能を回復した場合、表示部７に表示しているＡＵＴＯＳＥＬＦのマーク（図２（ｅ））から図２（ａ）〜（ｄ）の何れかに表示を切り替え、通信機能が動作していることが一目でわかるようにする（ステップＳ６）。
【００６４】
更に、中央処理装置４は、携帯電話装置１００がサービス圏外であるか否かを判定する（ステップＳ７）。
【００６５】
圏外であった場合（ステップＳ７のＹｅｓ）、中央処理装置４は電源制御部１０に対して無線部２及びベースバンド処理部３への電力供給を停止させる制御を行う。この結果、無線部２、ベースバンド処理部３は電力の供給がなくなり動作しなくなり、再び通信停止状態となる（ステップＳ４）。
【００６６】
圏外でなかった場合（ステップＳ７のＮｏ）、中央処理装置４はタイマー部１２による計時結果が連続１時間圏外である旨を示すか否かの判定を行う（ステップＳ３）。
【００６７】
以上のような第１の実施形態によれば、圏外であると検出される状態の継続時間が所定時間Ｔ１以上となった場合に、ベースバンド処理部３及び無線部２への電源供給を停止させることにより携帯電話装置１００の通信機能を自動的に停止させることができる。よって、使用者が通信機能の停止操作を行わなくても、好適に、携帯電話装置１００の消費電力を低減させることができる。
【００６８】
また、通信機能が停止されている状態時に、ベースバンド処理部３及び無線部２への電源供給を所定時間Ｔ２に再開させることにより通信機能を復帰させ、該復帰させた際の状態が圏内である場合にはベースバンド処理部３及び無線部２への電源供給を継続させる一方で、圏外である場合には再びベースバンド処理部３及び無線部２への電源供給をオフ状態にさせるので、携帯電話装置１００が圏内に戻っていれば自動的に通信機能を復帰させることができる一方で、圏外のままであれば通信機能の停止状態を継続させることができる。
【００６９】
〔第２の実施形態〕
第２の実施形態では、通信機能停止状態のときに所定の操作が行われた場合には、通信機能を復帰させる例について説明する。
【００７０】
図４は第２の実施形態の場合の動作の流れを示すフローチャートである。
【００７１】
図４のフローチャートは、図３のフローチャート（第１の実施形態）にステップＳ１０（割り込み処理の有無を監視するステップ）を追加したものであり、その他の点では図３のフローチャートと同様であるため、以下では相違点についてのみ説明する。
【００７２】
図４に示すように、割り込み処理の有無を監視するステップＳ１０は、通信機能が自動的に停止されている状態で行われる。
【００７３】
割り込み処理は、入力部６に対する操作に基づき、該入力部６より通信機能開始コマンド、発呼動作開始コマンド、メール送信動作開始コマンド、メール受信確認動作開始コマンドなどの信号が中央処理装置４に入力された場合に開始される。
【００７４】
すなわち、中央処理装置４は、例えば、これらの何れかのコマンドの有無を常時監視しており（ステップＳ１０）、該コマンドの入力を検出した場合に（ステップＳ１０のＹｅｓ）、無線部２及びベースバンド処理部３への電力供給を開始する指示を出力する。
【００７５】
その結果、無線部２、ベースバンド処理部３に電力が供給されて通信機能が開始（再開）され、回線との発信や着信、メールなどの送受信が可能となる（ステップＳ２）。
【００７６】
また、単に通信機能を開始させるためのコマンドではなく、それ以外の動作を要求するコマンドが入力された場合には、通信機能を開始させた後で、該入力されたコマンドに応じた動作を行う。
【００７７】
すなわち、例えば、入力部６に対する操作として、発呼動作の開始を要求する操作がなされ、該操作に基づき入力部６から発呼動作開始コマンドが入力された場合には、通信機能を開始させた後で、発呼動作を開始する。同様に、メール送信動作開始コマンド、メール受信確認動作開始コマンドが入力された場合には、それぞれ、通信機能を開始させた後で、メール送信動作、メール受信確認動作を開始する。
【００７８】
以上のような第２の実施形態によれば、通信機能が自動的に停止されている状態の時に、入力部６に対し所定の操作がなされた場合には、ベースバンド処理部３及び無線部２への電源供給を再開させるので、簡単な操作により通信機能を復帰させることができる。
【００７９】
特に、発呼動作、メール送信、メール受信確認などを要求する操作がなされた場合には、自動的に通信機能を復帰させ、引き続き、その要求に応じた動作を実行することができるので、携帯電話装置１００の使い勝手が良い。
【００８０】
〔第３の実施形態〕
第３の実施形態では、圏外時に通信機能を自動的に停止するまでの時間（時間Ｔ１）の長さと、通信機能が自動的に停止されているときに一時的に通信機能を復帰させて圏外か否かを判定するまでの時間（時間Ｔ２）の長さとをそれぞれユーザが任意に設定可能な例について説明する。
【００８１】
図５は第３の実施形態の場合の動作の流れを示すフローチャートである。
【００８２】
図５のフローチャートは、図４のフローチャート（第２の実施形態）にステップＳ１１、Ｓ１２、Ｓ１３、Ｓ１４を追加したものである。
【００８３】
このうちステップＳ１１、Ｓ１３は、圏外となってから通信機能を自動的に停止させるまでのタイマー部１２による計時時間の長さＴ１、或いは、通信機能が自動的に停止されてから一時的に通信機能を復帰させて圏外か否かを判定するまでの時間の長さＴ２の変更を要求する操作が入力部６に対してなされたか否かを判定するステップであり、ステップＳ１２、Ｓ１４は、入力部６に入力された新たな時間Ｔ１或いは時間Ｔ２を記憶部５に記憶させるステップである。
【００８４】
計時時間Ｔ１、Ｔ２の変更要求が入力部６から行われた場合（ステップＳ１１、Ｓ１３のＹｅｓ）、中央処理装置４は、それぞれ表示部７に新たな設定時間の入力を促す表示を行わせる。具体的には、例えば、「圏外時通信機能停止移行タイマーＴ１時間  Ｔ１＝？」との表示や、「通信機能一時復帰間隔タイマーＴ２時間  Ｔ２＝？」との表示などを行わせる。
【００８５】
入力部６より計時時間Ｔ１、Ｔ２が入力されると、中央処理装置４は、記憶部５に既に記憶されている計時時間Ｔ１、Ｔ２を新たな計時時間Ｔ１、Ｔ２により上書きする（ステップＳ１２，Ｓ１４）。
【００８６】
それにより、ステップＳ３，Ｓ５にてそれぞれ判定される計時時間Ｔ１、Ｔ２の時間が新たに設定される。
【００８７】
以上のような第３の実施形態によれば、圏外時に通信機能を自動的に停止するまでの時間の長さＴ１と、通信機能が自動的に停止されているときに一時的に通信機能を復帰させて圏外か否かを判定するまでの時間の長さＴ２とをそれぞれユーザが任意に設定可能となる。
【００８８】
なお、第３の実施形態では、時間Ｔ１、Ｔ２のうちの何れか一方のみをユーザが任意に設定可能なようにしても良い。
【００８９】
〔第４の実施形態〕
第４の実施形態では、圏外の時間が長い場合に自動的に携帯電話装置１００の電源をオフし、また、その移行時間をユーザが任意に設定できる例について説明する。
【００９０】
図６は第４の実施形態の場合の動作の流れを示すフローチャートである。
【００９１】
図６のフローチャートは、図５のフローチャート（第３の実施形態）にステップＳ１５、Ｓ１６、Ｓ１７を追加したものである。
【００９２】
このうちステップＳ１５は、通信機能を自動的に停止させてからの経過時間が時間（第３の所定時間）Ｔ３（＞Ｔ２）となったか否かを判定するステップであり、ステップＳ１６は、通信機能を自動的に停止させてからの経過時間が時間Ｔ３となった場合に、携帯電話装置１００の電源をオフにさせる処理を行うステップである。また、ステップＳ１７は通信機能を自動的に停止させてから携帯電話装置１００の電源をオフにさせるまでの時間Ｔ３をカウントするためのカウンタを初期化して「０」にする処理である。
【００９３】
また、本実施形態の場合、ステップＳ１１、Ｓ１３では、時間Ｔ１，Ｔ２、Ｔ３の変更を要求する操作がなされたか否かを判定し、ステップＳ１２、Ｓ１４では、新たな時間Ｔ１，Ｔ２，Ｔ３を設定する処理を行う。
【００９４】
本実施形態の場合、ステップＳ３にて連続してＴ１時間以上圏外であると判定された場合（ステップＳ３のＹｅｓ）、時間Ｔ３をカウントするためのカウンタを初期化して「０」とする。
【００９５】
また、計時時間Ｔ１，Ｔ２，Ｔ３の変更要求が入力部６から行われた場合（ステップＳ１１、Ｓ１３のＹｅｓ）、中央処理装置４は、表示部７に時間Ｔ１，Ｔ２，Ｔ３の入力を促す表示を行わせる。具体的には、例えば、「圏外時通信機能停止移行タイマーＴ１時間  Ｔ１＝？」との表示や、「通信機能一時復帰間隔タイマーＴ２時間  Ｔ２＝？」との表示や、「通信機能自動停止時オフタイマーＴ３時間  Ｔ３＝？」との表示などを行わせる。
【００９６】
入力部６より計時時間Ｔ１、Ｔ２、Ｔ３が入力された場合、中央処理装置４は、記憶部５に既に記憶されている計時時間Ｔ１、Ｔ２、Ｔ３を新たな計時時間Ｔ１、Ｔ２、Ｔ３により上書きする（ステップＳ１２，Ｓ１４）。
【００９７】
それにより、ステップＳ３，Ｓ５、Ｓ１５にてそれぞれ判定される計時時間Ｔ１、Ｔ２、Ｔ３の時間が新たに設定される。
【００９８】
時間Ｔ３をカウントするためのカウンタ値がＴ３時間以上となった場合（ステップＳ１５のＹｅｓ）、中央処理装置４は、電源制御部１０に指令を送信し、携帯電話装置１００の電源をオフにさせる（ステップＳ１６）。
【００９９】
他方、時間Ｔ３をカウントするためのカウンタ値がＴ３時間以上とはなっていない場合（ステップＳ１５のＮｏ）は、ステップＳ５へ進む。
【０１００】
以上のような第４の実施形態によれば、圏外であると検出される状態の継続時間が時間Ｔ３以上となった場合に、携帯電話装置１００の電源を遮断することにより、消費電力を低減させることができる。
【０１０１】
なお、上記の各実施形態では、移動通信端末装置の例として携帯電話装置１００を例示したが、本発明はこの例に限らず、ＰＨＳ（Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）或いはその他の移動通信端末装置にも同様に適用可能である。
【図面の簡単な説明】
【０１０２】
【図１】本発明の実施形態に係る携帯電話装置の構成を示すブロック図である。
【図２】アンテナバーの表示を示す図である。
【図３】第１の実施形態の場合の動作の流れを示すフローチャートである。
【図４】第２の実施形態の場合の動作の流れを示すフローチャートである。
【図５】第３の実施形態の場合の動作の流れを示すフローチャートである。
【図６】第４の実施形態の場合の動作の流れを示すフローチャートである。
【符号の説明】
【０１０３】
１００    携帯電話装置（移動通信端末装置）
３        ベースバンド処理部
４        中央処理装置（圏外検出手段）
６        入力部（入力手段）
１０      電源制御部（電源制御手段）
１１      バッテリ（電源供給手段）
【図１】
2007036865.tif 000003
【図２】
2007036865.tif 000004
【図３】
2007036865.tif 000005
【図４】
2007036865.tif 000006
【図５】
2007036865.tif 000007
【図６】
2007036865.tif 000008